(57)【要約】【課題】現場での操作時間を短縮し操作コストを低下可能な迅速固定ネジカバー装置を提供する。【解決手段】外スリーブ１と内スリーブ２とを備え、外スリーブ１は筒体で、内部は穿孔１１で、端部には中段に向かい延伸する軸方向溝１２を設置して撓み性を具え、その外側には棒状突起１３を設置する。内スリーブ２は筒体であり、内部は穿孔２１で、第一端２２と第二端２３とを具え、第一端２２には嵌合壁２２１を設置し、第二端２３にはガード壁２３１を設置し、嵌合壁２２１とガード壁２３１との外径は穿孔１１の内径より大きく、また第一端２２には中段に向かい延伸する軸方向溝２４を設置して撓み性を具え、嵌合壁２２１には導斜面２２２を設置し、導斜面２２２により穿孔１１内に穿入し固定され、嵌合壁２２１とガード壁２３１とにより外スリーブ１において嵌合される。【選択図】図１
0003126492.tif 000002
【実用新案登録請求の範囲】
【請求項１】
外スリーブ、及び内スリーブを備え、
該外スリーブは、筒体であって内部は第一穿孔であり、端部には中段に向かい延伸する第一軸方向溝を設置して撓み性を具え、外側には棒状突起が設置され、
該内スリーブは、筒体であって内部は第二穿孔であり、該第一端と相対する第二端を具え、該第一端には嵌合壁を設置し、該第二端にはガード壁を設置し、該嵌合壁と該ガード壁との外径は該外スリーブの第一穿孔の内径より大きく、該第一端には中段に向かい延伸する第二軸方向溝を設置して該嵌合壁は撓み性を具え、該嵌合壁には導斜面を設置し、該導斜面により該外スリーブの第一穿孔内に穿入し固定され、該嵌合壁と該ガード壁とにより該外スリーブにおいて嵌合されることを特徴とする迅速固定ネジカバー装置。
【請求項２】
前記外スリーブの外壁の棒状突起は逆カギ状の環状棒であることを特徴とする請求項１に記載の迅速固定ネジカバー装置。
【請求項３】
前記外スリーブの第一穿孔内にはガードを設置し、該内スリーブの外部には凸部を設置することを特徴とする請求項１に記載の迅速固定ネジカバー装置。
【考案の詳細な説明】
【技術分野】
【０００１】
本考案は一種の迅速固定ネジカバー装置に関する。特に一種の内スリーブを外スリーブに嵌合することにより、設置現場において迅速な設置或いは直接設置を可能とする迅速固定ネジカバー装置に係る。
【背景技術】
【０００２】
米国特許４，０８５，４８１号、４，１８８，６８５号、４，８６２，５５６号、４，９８２，４７６号、５，２４６，３２２号、５，４６８，１０９号、５，５６１，８８８号、５，５８６，３６４号、５，６０７，２７１号、５，６２６，４５０号、５，６６９，１０８号、５，７２５，３４２号、５，９６６，７７９号は、ボルト或いはネジ及びそのネジカバーを家具等に迅速固定する構造についての前出特許である。
【０００３】
上記公知構造ではネジを直接ネジカバーに螺入し、或いは偏心回転させネジカバーを緊密に締め固定することを重視している。実際には、ネジカバーとネジの使用において、その作業手順は通常、家具（一般的には板材）の固定位置に先ず柱孔を開け、次にネジカバーを該柱孔内に入れ、最後に家具を組立て固定する時に初めてネジをネジカバーに螺合し、その他部品（ちょうつがい或いはスライドレール）により家具に固定するものである。
しかし、前記固定方式では家具空間の制限により現場における組立て時の操作の不便を招くという欠点があり、しかも現場での操作時間も長くなり、使用者の操作コストも上昇させてしまう。
【考案の開示】
【考案が解決しようとする課題】
【０００４】
本考案は上記構造の問題点を解決した迅速固定ネジカバー装置を提供するものである。
【課題を解決するための手段】
【０００５】
上記課題を解決するため、本考案は下記の迅速固定ネジカバー装置を提供する。
それは主に迅速固定ネジカバー装置を提供し、内スリーブにより外スリーブを嵌合し、現場組立て時の操作の不便と現場での操作時間が長くコストが高くなるという問題を解決可能で、操作方式を選択可能で、しかも操作の利便性が高く迅速である。本考案の構造は筒状の外スリーブと内スリーブとを備え、該外スリーブは筒体であって、内部は穿孔であり、しかも端部には中段に向かい延伸する軸方向溝を設置し、これにより撓み性を具え、その外側には棒状突起を設置する。該内スリーブは筒体であって、内部は穿孔であり、第一端と相対する第二端を具え、該第一端には嵌合壁を設置し、該第二端にはガード壁を設置し、しかも該嵌合壁と該ガード壁との外径は該外スリーブの穿孔の内径より大きく、また該第一端には中段に向かい延伸する軸方向溝を設置し、これによりその嵌合壁は撓み性を具え、該嵌合壁には導斜面を設置し、該導斜面により該外スリーブの穿孔内に穿入し固定され、該嵌合壁と該ガード壁とにより該外スリーブにおいて嵌合される。該外スリーブ外壁の棒状突起は逆カギ状の環状棒であってもよい。該外スリーブの穿孔内にはガードを設置し、該内スリーブ外部には凸部を設置してもよい。
【０００６】
（考案の効果）
上記のように、本考案は分解が容易で、迅速分解を選択可能であるため、現場での操作時間を短縮し操作コストを低下させることができる。またローラースライドレール、ボールスライドレール、カップボードドア体ちょうつがい等多数の家具類とその家具板片の迅速分解或いは正式固定に応用可能である。
【考案を実施するための最良の形態】
【０００７】
図１に示すように、本考案の一実施例による迅速固定ネジカバー装置は、外スリーブ１及び内スリーブ２を備える。
該外スリーブ１は筒体であって、内部は穿孔１１であり、しかも端部には中段に向かい延伸する軸方向溝１２を設置し、これにより撓み性を具え、その外側には棒状突起１３を設置し、該棒状突起１３が逆カギ状の環状棒である。
【０００８】
該内スリーブ２は筒体であって、内部は穿孔２１であり、第一端２２と相対する第二端２３を設置し、該第一端２２には嵌合壁２２１を設置する。該第二端２３にはガード壁２３１を設置し、しかも該嵌合壁２２１と該ガード壁２３１との外径は該外スリーブ１の穿孔１１の内径より大きい。また該第一端２２には中段に向かい延伸する軸方向溝２４を設置し、これにより該嵌合壁２２１は撓み性を具える。該嵌合壁２２１には導斜面２２２を設置し、該導斜面２２２により該外スリーブ１の穿孔１１内に入り固定され、該嵌合壁２２１と該ガード壁２３１とは該外スリーブ１において嵌合される。
【０００９】
次に図２から図４に示すように、本実施例をローラースライドレール３（一般の小型で荷重が低い引き出しスライドレール）に応用した状態を示す分解斜視図及び模式図では、応用される固定部品４はネジである。
実施時には、先ず家具の本体等の予定の固定位置５に柱孔５１を開け、一般の小型家具や雑貨に使用する場合には、図３に示すように、該内スリーブ２を該ローラースライドレール３の穿孔３１の位置に設置する。次に該固定部品４により該ローラースライドレール３の穿孔３１を貫通し、該内スリーブ２に螺合する。
【００１０】
該ローラースライドレール３を家具に組立てる時、該外スリーブ１を該柱孔５１に入れ、次に該内スリーブ２を該導斜面２２２により該外スリーブ１の穿孔１１内に入れ固定するだけで、該内スリーブ２は該外スリーブ１中において緊密に固定される。しかも該内スリーブ２の第一端２２の嵌合壁２２１を利用し、該外スリーブ１の外端縁を押さえ、こうして図４に示すように、該ローラースライドレール３を予定の固定位置５に固定することができる。
分解時には図５に示すように、該ローラースライドレール３及び該内スリーブ２を直接該固定部品４と一緒に分解し、迅速な分離を行うことができる。
【００１１】
また図６に示すように、内スリーブ２Ａの筒体外部には軸方向の凸部２５Ａを設置し、外スリーブ１Ａの穿孔１１Ａ内には少なくとも１個の軸方向のガード１４Ａを設置する。これにより該固定部品４が該内スリーブ２Ａに螺合され、該内スリーブ２Ａが該外スリーブ１Ａの穿孔１１Ａに係入する時、図７に示すように、該内スリーブ２Ａは凸部２５Ａにより該ガード１４Ａに固定され、該内スリーブ２Ａは該固定部品４に連動され回転しにくくなる。こうして分解時には図８に示すように、直接該固定部品４を分離し、さらに該ローラースライドレール３を取り外すことができ、また、該内スリーブ２Ａを該外スリーブ１Ａの中に残した後に、該ローラースライドレール３を該固定部品４により該内スリーブ２Ａと該外スリーブ１Ａとの組合せ体に固定する。以上２種の異なる方式の操作により使用者の利便性を向上させることができる。
続いて図９に示すように、本考案の実施例は、ボールスライドレール６に応用する。また、図１０に示すように、本考案の実施例をカップボードドア体ちょうつがい７に応用する。
【００１２】
図２から図４に示すように、本考案の実施例はローラースライドレール３（一般の小型で荷重が低い引き出しスライドレール）に応用可能な他、ボールスライドレール６（一定の重量を支えるカップボードの引き出し或いはコンピュータケーブルフレーム）、カップボードドア体ちょうつがい７（よく見られる家具のドア体）、或いはその他類似の家具の板片の迅速分解または正式固定に応用することができる。
【００１３】
上記図が示す実施例では、それぞれ該固定部品４により該ボールスライドレール６の穿孔６１を貫通し、該内スリーブ２内に螺合し、該内スリーブ２は該外スリーブ１の穿孔１１内に嵌合して該ボールスライドレール６固定を固定する。或いは該固定部品４により該カップボードドア体ちょうつがい７の穿孔７１を貫通し、該内スリーブ２内に螺合し、該内スリーブ２は該外スリーブ１の穿孔１１内に嵌合し、該カップボードドア体ちょうつがい７を固定する。
【図面の簡単な説明】
【００１４】
【図１】本考案の一実施例による迅速固定ネジカバー装置の分解斜視図である。
【図２】本考案の一実施例による迅速固定ネジカバー装置をローラースライドレールに応用する分解斜視図である。
【図３】本考案の一実施例による迅速固定ネジカバー装置をローラースライドレールに応用する状態を示す模式図である。
【図４】本考案の一実施例による迅速固定ネジカバー装置をローラースライドレールに応用する状態を示す断面図である。
【図５】本考案の一実施例による迅速固定ネジカバー装置をローラースライドレールに応用する状態を示す断面図である。
【図６】本考案の他の実施例による迅速固定ネジカバー装置の分解斜視図である。
【図７】本考案の他の実施例による迅速固定ネジカバー装置の組合せ時の断面図である。
【図８】本考案の他の実施例による迅速固定ネジカバー装置をローラースライドレールに応用する状態を示す断面図である。
【図９】本考案の一実施例による迅速固定ネジカバー装置をボールスライドレールに応用する分解斜視図である。
【図１０】本考案の一実施例による迅速固定ネジカバー装置をカップボードドア体ちょうつがいに応用する分解斜視図である。
【符号の説明】
【００１５】
１  外スリーブ、２  内スリーブ、３  ローラースライドレール、４  固定部品、５  固定位置、６  ボールスライドレール、７  カップボードドア体ちょうつがい、１１  穿孔、１２  軸方向溝、１３  棒状突起、２１  穿孔、２２  第一端、２３  第二端、２４  軸方向溝、３１  穿孔、５１  柱孔、６１  穿孔、７１  穿孔、２２１  嵌合壁、２２２  導斜面、２３１  ガード壁、１Ａ  外スリーブ、２Ａ  内スリーブ、１１Ａ  穿孔、１４Ａ  ガード、２５Ａ  凸部
【図１】
0003126492.tif 000003
【図２】
0003126492.tif 000004
【図３】
0003126492.tif 000005
【図４】
0003126492.tif 000006
【図５】
0003126492.tif 000007
【図６】
0003126492.tif 000008
【図７】
0003126492.tif 000009
【図８】
0003126492.tif 000010
【図９】
0003126492.tif 000011
【図１０】
0003126492.tif 000012